(57)【特許請求の範囲】
【請求項１】
複数種類の商用交流電源からの交流電力が選択的に入力される電源入力端子と、
前記電源入力端子を介して入力された交流電圧を、所定の電圧値の交流電圧に変換する絶縁トランス部と、
内視鏡装置に接続される電源出力端子部であって、前記絶縁トランス部によって変換された交流電力がそこを介して該内視鏡装置に供給されるものと、
キーボードを接続するためのキーボード入力端子と、
該内視鏡装置のキーボード接続端子とケーブルを介して接続されるキーボード出力端子と、
前記キーボード入力端子を介して入力されたキーボード信号のキーコードを変換してキーボード出力端子に送るキーコード変換手段と、
を有することを特徴とする、内視鏡装置用コンバータ。
【請求項２】
前記キーコード変換手段は、ルックアップテーブルを用いてキーコードの変換を行う、ことを特徴とする請求項１に記載の内視鏡装置用コンバータ。
【請求項３】
前記キーコード変換手段は、複数組のルックアップテーブルを備えており、
前記内視鏡装置用コンバータは、キーコードの変換に使用されるルックアップテーブルを該複数組のルックアップテーブルの中から選択するためのテーブル選択手段をさらに有すること、
を特徴とする請求項２に記載の内視鏡装置用コンバータ。
【請求項４】
該ルックアップテーブルを編集するためのテーブル編集手段をさらに有する、ことを特徴とする請求項２または３に記載の内視鏡装置用コンバータ。
【請求項５】
前記内視鏡装置用コンバータは、内視鏡装置の電子内視鏡用プロセッサの仕様を検知する検知手段を備え、
前記テーブル選択手段は、前記検知手段の検知結果に基づいてキーコードの変換に使用されるルックアップテーブルを該複数組のルックアップテーブルの中から選択すること、
を特徴とする請求項３または４に記載の内視鏡装置用コンバータ。
【請求項６】
前記検知手段は、該電子内視鏡用プロセッサに内蔵されたメモリーから該電子内視鏡用プロセッサの仕様情報を読み出すことによって、該電子内視鏡用プロセッサの仕様を検知すること、を特徴とする請求項５に記載の内視鏡装置用コンバータ。
【請求項７】
該内視鏡装置から第１の方式のビデオ信号が入力されるビデオ入力端子と、
入力された第１の方式のビデオ信号を、第２の方式のビデオ信号に変換する第１の信号変換回路と、
前記ビデオ入力端子に入力された第１の方式のビデオ信号と、前記第１の信号変換回路によって変換された第２の方式のビデオ信号のいずれかを出力する第１のビデオ出力端子と、
該第１の方式のビデオ信号と該第２の方式のビデオ信号のいずれを前記第１のビデオ出力端子に送るかを切り換えるビデオ信号切換手段と、
前記絶縁トランス部と、前記第１の信号変換回路とを内部に収めたケースと、
をさらに有する、請求項１から６のいずれかに記載の内視鏡装置用コンバータ。
【請求項８】
該第１の方式がＮＴＳＣ方式であり、該第２の方式がＰＡＬ方式であること、を特徴とする請求項７に記載の内視鏡装置用コンバータ。
【請求項９】
該第１の方式がＰＡＬ方式であり、該第２の方式がＮＴＳＣ方式であること、を特徴とする請求項７に記載の内視鏡装置用コンバータ。
【請求項１０】
該第１の方式のビデオ信号を、第３の方式のビデオ信号に変換する、第２の信号変換回路と、
前記第２の信号変換回路によって変換された第３の方式のビデオ信号を出力する第２のビデオ出力端子と、
を有し、
前記第２の信号変換回路は、前記ケース内に収められていること、を特徴とする請求項７から９のいずれかに記載の内視鏡装置用コンバータ。
【請求項１１】
該第３の方式が、ＲＧＢ方式であることを、特徴とする請求項１０に記載の内視鏡装置用コンバータ。
【請求項１２】
前記絶縁トランス部は、複数種類の電圧の交流電圧を生成可能であり、前記電源出力端子は、前記絶縁トランス部によって生成された複数種類の電圧それぞれに対応した複数の端子を備えていること、を特徴とする請求項１から１１のいずれかに記載の内視鏡装置用コンバータ。
【発明の詳細な説明】
【技術分野】
【０００１】
本発明は、電子内視鏡、電子内視鏡用プロセッサ、モニタ等を備えた内視鏡装置に使用されるコンバータに関する。
【背景技術】
【０００２】
電子内視鏡装置は様々な国、地域の医療機関にて広く利用されている。この電子内視鏡装置において、電子内視鏡（電子スコープ）は、電子内視鏡用プロセッサに接続される。電子内視鏡用プロセッサは、電子内視鏡のライトガイドに照明光を送る光源装置としての機能と、電子内視鏡の固体画像素子からの映像信号を処理して所定の形式のビデオ信号を生成する画像処理装置としての機能とを兼ね備えた装置である。電子内視鏡用プロセッサによって生成されたビデオ信号はテレビ等のモニタに表示される。
【０００３】
電子内視鏡用プロセッサは、商用交流電源からの交流電圧を直流電圧に変換するための電源装置を備えている。この電源装置によって生成される直流電圧電源は、電子内視鏡用プロセッサ自身および電子内視鏡の駆動に用いられる。このような電源装置としては、特許文献１に開示されているものがある。特許文献１に示されているように、電子内視鏡用プロセッサに内蔵される電源装置は、絶縁トランスを備えており、商用交流電源の異常電流が電子内視鏡に流れるのを防止する。
【特許文献１】特開２０００−１２６１１２
【０００４】
各国の商用交流電源の電圧は、アメリカが約１２０Ｖ、日本が約１００Ｖ、ヨーロッパ諸国では一般に約２００−２４０Ｖである。また、韓国等の一部地域では、複数種類の交流電源が混在している。
【０００５】
上記のような、各国・地域ごとに異なる電源電圧に対応させるため、従来の内視鏡装置においては、内蔵の交流−直流コンバータの種類が異なる複数の内視鏡用プロセッサを国・地域ごとに用意していた。この結果、国・地域ごとに異なる種類の内視鏡用プロセッサを用意する従来の方式においては、プロセッサを多数機種用意する必要があり、その製造および管理は複雑なものとなっていた。
【０００６】
また、近年、以前販売した中古の内視鏡や電子内視鏡用プロセッサを再び買い取って、これを他国に安価に再販売するビジネスモデルが考案されているが、このような場合、買い取り元の地域と輸出先の地域における電源の仕様が合っていないと輸出できないという問題がある。
【０００７】
また、電子内視鏡用プロセッサの中にはキーボードを接続可能とし、このキーボードを用いて電子内視鏡用プロセッサを操作できるようにしたものがある。このキーの特定のキー（例えばファンクションキー）を押すことによって、操作メニューの表示や、画面印刷の指示などを行うことができる。
【０００８】
内視鏡用プロセッサの種類によって、どのキーにどの機能が割り当てられているかが異なる場合がある。そのため、複数種類の電子内視鏡用プロセッサが混在する環境においては、全ての電子内視鏡用プロセッサについて、各キーに割り当てられた機能を把握する必要があり、操作の習得は容易とはいえなかった。
【発明の開示】
【発明が解決しようとする課題】
【０００９】
上記の問題に鑑み、本発明は、内視鏡装置を国・地域に関わらず使用可能とすると共に、内視鏡装置の操作習得を容易なものとする、内視鏡装置用コンバータを提供することを目的とする。
【課題を解決するための手段】
【００１０】
上記の問題を解決するため、本発明の内視鏡装置用コンバータは、複数種類の商用交流電源からの交流電力が選択的に入力される電源入力端子と、電源入力端子を介して入力された交流電圧を所定の電圧の交流電圧に変換する絶縁トランス部と、内視鏡装置に接続される電源出力端子部であって絶縁トランス部によって変換された交流電力がそこを介して内視鏡装置に供給されるものと、キーボード入力端子を介して入力されたキーボード信号のキーコードを変換してキーボード出力端子に送るキーコード変換手段と、を有する。
【００１１】
従って、商用交流電源と内視鏡用プロセッサとの間、および内視鏡用プロセッサとモニタとの間にこの内視鏡装置用コンバータを接続することによって、商用交流電源の種類に関わらず内視鏡用プロセッサを駆動可能となる。さらに、本発明の内視鏡装置用コンバータにおいては、電圧変換を絶縁トランスによって行っているため、内視鏡用プロセッサ側の交流−直流変換電源を絶縁する必要はない。
【００１２】
また、内視鏡装置をデモやリースのために他国に短期間の間送る場合がある。この時、輸送コストを抑えるため等の理由から、重量物であり且つ汎用品であるモニタは送られず、現地で一般に流通しているモニタをそのまま使う場合がある。上記構成によれば、この場合において、デモやリース用のプロセッサを国・地域ごとに用意する必要がなく、在庫を最小限に抑えることができる。
【００１３】
また、一般に、キーボードは、キーを押された時および押されたキーが離された時に、そのキーに対応したキーコードを含む信号を出力するようになっている。電子内視鏡用プロセッサは、このキーコードから、押された／離されたキーの種別を認識する。従って、ある電子内視鏡用プロセッサにおいてはＦ１キーに印刷機能が割り当てられており、他の電子内視鏡用プロセッサにおいてはＦ２キーに印刷機能が割り当てられている場合において、後者の電子内視鏡用プロセッサが内視鏡装置用コンバータに接続されている時にキーコード変換手段によってＦ１キーが押された時の出力キーコードをＦ２のものに強制変換することができる。この場合、電子内視鏡用プロセッサの種類が前者のものであるか後者のものであるかに関わらず、Ｆ１キーを押した時に印刷機能が働くようになる。このように、本発明によれば、キーコード変換手段によって、異なる内視鏡用プロセッサにおいて、キーに割り当てられた機能を同一なものとすることができる。このため、内視鏡システムの操作者は、一種類の操作方法のみを覚えれば良くなるため、内視鏡システムの操作習得は容易なものとなる。
【００１４】
また、キーコード変換手段は、ルックアップテーブルを用いてキーコードの変換を行う構成としてもよい。
【００１５】
また、キーコード変換手段が複数組のルックアップテーブルを備えており、内視鏡装置用コンバータは、キーコードの変換に使用されるルックアップテーブルを該複数組のルックアップテーブルの中から選択するためのテーブル選択手段をさらに有する構成としてもよい。このような構成においては、内視鏡装置用コンバータにつながる電子内視鏡用プロセッサを切り換える毎に、テーブル選択手段を操作して電子内視鏡用プロセッサに適したルックアップテーブルを選択することができる。
【００１６】
また、内視鏡装置用コンバータがルックアップテーブルを編集するためのテーブル編集手段をさらに有する構成とすることによって、所望のキーに所望の機能を割り当てることができるようになる。
【００１７】
また、内視鏡装置用コンバータが内視鏡装置の電子内視鏡用プロセッサの仕様を検知する検知手段を備え、テーブル選択手段が検知手段の検知結果に基づいてキーコードの変換に使用されるルックアップテーブルを複数組のルックアップテーブルの中から選択する構成としてもよい。
【００１８】
このような構成とすることによって、内視鏡プロセッサを内視鏡装置用コンバータに接続するのみで、適切なルックアップテーブルを選択可能となる。
【００１９】
検知手段が電子内視鏡用プロセッサの仕様を検知する手段としては、電子内視鏡用プロセッサに内蔵されたメモリーから該電子内視鏡用プロセッサの仕様情報を読み出すといったものが考えられる。
【００２０】
また、内視鏡装置用コンバータが、内視鏡装置から第１の方式のビデオ信号が入力されるビデオ入力端子と、入力された第１の方式のビデオ信号を、第２の方式のビデオ信号に変換する第１の信号変換回路と、ビデオ入力端子に入力された第１の方式のビデオ信号と、第１の信号変換回路によって変換された第２の方式のビデオ信号のいずれかを出力する第１のビデオ出力端子と、第１の方式のビデオ信号と該第２の方式のビデオ信号のいずれを前記第１のビデオ出力端子に送るかを切り換えるビデオ信号切換手段とをさらに有する構成としてもよい。
【００２１】
このような構成によって、モニタの方式に関わらず内視鏡用プロセッサの出力画像をモニタに表示させることが可能となる。
【００２２】
また、絶縁トランス部は、複数種類の電圧の交流電圧を生成可能であり、前記電源出力端子は、前記絶縁トランス部によって生成された複数種類の電圧それぞれに対応した複数の端子を備えている構成としてもよい。の構成を備えた内視鏡装置用コンバータにより、既存の特定の国・地域用の内視鏡装置を異なる国や地域で使用可能となる。また、内視鏡用プロセッサと、モニタ等の他の機器との駆動電圧が異なる場合であっても、両者を内視鏡装置用コンバータに接続可能となり、内視鏡装置とコンバータ自身を含むシステム全体をコンパクトに構成可能となる。
【発明の効果】
【００２３】
以上のように、本発明の内視鏡装置用コンバータによって、内視鏡装置を国・地域に関わらず使用可能となると共に、内視鏡装置の操作習得を容易なものとすることができる。
【発明を実施するための最良の形態】
【００２４】
以下、本発明の実施の形態の構成を図面を用いて説明する。図１は、本実施形態の内視鏡システムの概要を示すブロック図である。本実施形態においては、内視鏡システム１は、電子内視鏡１１０と、電子内視鏡１１０に照明光を供給すると共に電子内視鏡１１０からの映像信号を処理する電子内視鏡用プロセッサ１２０、電子内視鏡用プロセッサ１２０によって処理された映像信号に対応する画像を表示するモニタ３１０、３２０と、電子内視鏡用プロセッサを操作するためのキーボード４００と、内視鏡装置用コンバータ２００とを有する。
【００２５】
本実施形態の内視鏡装置用コンバータ２００は、商用交流電源から入力された１００Ｖ〜２４０Ｖ迄の電圧を２種類の電圧に変圧してモニタ３１０、３２０および電子内視鏡用プロセッサ１００に供給する、変圧器としての機能を有する。更に、内視鏡装置用コンバータ２００は、電子内視鏡用プロセッサ１００から出力されるビデオ信号を必要に応じて変換して、モニタ３１０、３２０の仕様に対応したビデオ信号を各モニタに送る機能を有する。従って、内視鏡装置用コンバータ２００を介して、商用交流電源と電子内視鏡用プロセッサ１００を接続することによって、商用交流電源の電圧と電子内視鏡用プロセッサ１００の駆動電圧が異なる場合であっても、プロセッサ１００を駆動可能となる。また、内視鏡装置用コンバータ２００を介して、電子内視鏡用プロセッサ１００とモニタ３１０、３２０とを接続することによって、電子内視鏡用プロセッサ１００から出力されるビデオ信号とモニタ３１０、３２０の仕様に対応したビデオ信号が異なる場合であっても、電子内視鏡用プロセッサ１２０によって処理された映像信号をモニタ３１０、３２０で表示可能となる。
【００２６】
図２に、内視鏡装置用コンバータ２００のブロック図を示す。内視鏡装置用コンバータ２００は、ＮＴＳＣ／ＰＡＬ規格の一方のビデオ信号を他方の規格のものに変換するためのＮＴＳＣ／ＰＡＬ相互変換部２５１と、ＮＴＳＣまたはＰＡＬ規格のビデオ信号をＲＧＢビデオ信号に変換するＲＧＢ変換部２５２と、入力される交流電圧を変圧可能な絶縁トランス部２４０とがケース２１０の内部に内蔵された構成となっている。
【００２７】
ケース２１０の表面には、商用交流電源と接続される電源入力端子（ＡＣインレット等）２３１、絶縁トランス部によって変圧された交流電流が出力される第１、第２、第３および第４の電源出力端子（ＡＣアウトレット等）２３２、２３３、２３４、２３５が設けられている。さらに、ケース２１０の表面には、電子内視鏡用プロセッサ１２０から出力されるビデオ信号を受信するためのビデオ入力端子２２１、ＰＣ用モニタ等のＲＧＢモニタ３２０を接続するためのＲＧＢ端子２２２、ＴＶ／ＶＴＲ用のＮＴＳＣ若しくはＰＡＬモニタを接続するためのビデオ出力端子２２３が設けられている。
【００２８】
最初に、絶縁トランス部２４０の動作に付き説明する。電源入力端子２３１から入力された交流電圧は絶縁トランス部２４０の絶縁入力部２４１に送られる。絶縁入力部２４１には一次コイル２４３が設けられている。一次コイル２４３は、絶縁トランス部２４０の電圧変換部２４２に設けられた二次コイル２４４と、絶縁材２４５を介して対向している。この一次コイル２４３と二次コイル２４４との間に働く電磁誘導によって、二次コイル２４４に交流電圧が発生する。絶縁材２４５は、特に一次コイル２４３側に異常電流が発生した時に、スパーク等によって一次コイル２４３から二次コイル２４４に直接電流が流れるのを防止する。この結果、二次コイル２４４側に発生する電圧が高電圧となり、想定外の電流が内視鏡用プロセッサ１２０を介して電子内視鏡１１０に流れるのを防止する。
【００２９】
電圧変換部２４２は、二次コイル２４４のインダクタンスを調整することによって、第１、第２、第３および第４の電源出力端子２３２、２３３、２３４、２３５から出力される交流電圧電源の電圧値を調整することが可能である。なお、図示はされていないが二次コイル２４４には、第１、第２、第３および第４の電源出力端子２３２、２３３、２３４、２３５のそれぞれに対応した多段のタップが設けられており、第１、第２、第３および第４の電源出力端子２３２、２３３、２３４、２３５からそれぞれ異なる交流電圧電源を出力可能となっている。
【００３０】
ケース２１０の表面には、入力電圧設定スイッチ２６１および、出力電圧設定スイッチ２６２が設けられている。内視鏡システム１の使用者は、商用交流電源の電圧値を入力電圧設定スイッチ２６１にて設定し、且つ出力電圧設定スイッチ２６２にて出力電圧を設定することによって、第１および第３の電源出力端子から出力される電圧の値を１００〜１２０Ｖの範囲内で、また、第２および第４の電源出力端子から出力される電圧の値を２００〜２４０Ｖの範囲内で、それぞれ調整可能である。
【００３１】
例えば、第１の電源出力端子２３２に１００Ｖ電源仕様の電子内視鏡用プロセッサ１２０を接続し、第３の電源出力端子２３４に１２０Ｖ電源仕様のＲＧＢモニタ３２０を接続し、第４の電源出力端子２３５にＰＡＬ仕様のＴＶモニタ３１０を接続し、これらを駆動させることができる。
【００３２】
以上のように、絶縁トランス部２４０によって、互いに駆動電圧の異なる電子内視鏡用プロセッサ１２０、ＲＧＢモニタ３２０およびＴＶモニタ３１０を同時に駆動させることが可能となる。また、絶縁トランス部２４０が出力する電圧は、絶縁材２４５を介在させた一次コイル２４３、二次コイル２４４の電磁誘導によって生成されるものであるため、特に電子内視鏡用プロセッサ１２０に、交流電源の異常電流に起因する、大電圧の電流が流れる現象を防止できる。
【００３３】
次いで、ＮＴＳＣ／ＰＡＬ相互変換部２５１および、ＲＧＢ変換部２５２の動作に付き説明する。電子内視鏡用プロセッサ１２０から出力されるビデオ信号は、ビデオ入力端子２２１を介して、ＮＴＳＣ／ＰＡＬ相互変換部２５１とＲＧＢ変換部２５２の双方に入力される。
【００３４】
ＮＴＳＣ／ＰＡＬ相互変換部２５１は、入力されるビデオ信号の同期信号等から、入力された信号がＮＴＳＣ方式であるかＰＡＬ方式であるかの判別を行うことができる。また、ＮＴＳＣ／ＰＡＬ相互変換部２５１は、入力されたＮＴＳＣ方式のビデオ信号をＰＡＬ方式に、ＰＡＬ方式のビデオ信号をＮＴＳＣ方式に変換可能である。変換されたビデオ信号は、ビデオ出力端子２２３を介してＴＶモニタ３１０に送られる。
【００３５】
ここで、ケース２１０の表面には、ビデオ出力端子２２３から出力されるビデオ信号を設定するためのビデオ出力設定スイッチ２６３が設けられている。ビデオ出力端子２２３からＰＡＬ方式のビデオ信号が出力されるようビデオ出力設定スイッチ２６３が設定されている場合、入力されるビデオ信号がＮＴＳＣ方式のビデオ信号であれば、ＮＴＳＣ／ＰＡＬ相互変換部２５１はビデオ信号変換処理を行ってＰＡＬ信号を生成し、また、入力されるビデオ信号がＰＡＬ方式のビデオ信号であれば、ＮＴＳＣ／ＰＡＬ相互変換部２５１はビデオ信号変換処理を行わずＰＡＬ方式の信号をそのままスルー出力する。同様に、ビデオ出力端子２２３からＮＴＳＣ方式のビデオ信号が出力されるようビデオ出力設定スイッチ２６３が設定されている場合、入力されるビデオ信号がＰＡＬ方式のビデオ信号であれば、ＮＴＳＣ／ＰＡＬ相互変換部２５１はビデオ信号変換処理を行ってＮＴＳＣ信号を生成し、また、入力されるビデオ信号がＮＴＳＣ方式のビデオ信号であれば、ＮＴＳＣ／ＰＡＬ相互変換部２５１はビデオ信号変換処理を行わずＮＴＳＣ方式の信号をそのままスルー出力する。
【００３６】
以上のように、ＮＴＳＣ／ＰＡＬ変換部２５１によって、ＴＶモニタ３１０の仕様に応じたビデオ信号をＴＶモニタに送ることができ、電子内視鏡用プロセッサ１２０とＴＶモニタ３１０とが異なるビデオ規格を採用したものであったとしても、電子内視鏡１１０の撮影した画像をＴＶモニタ３１０に表示させることができる。
【００３７】
ＲＧＢ変換部２５２は、入力されるビデオ信号の同期信号等から、入力された信号がＮＴＳＣ方式であるかＰＡＬ方式であるかの判別を行うことができる。ＲＧＢ変換部２５２は、入力されたＮＴＳＣまたはＰＡＬのコンポジットビデオ信号を、ＲＧＢ３原色の輝度信号が分離したＲＧＢ信号に変換する。このＲＧＢ信号は、例えばＶＧＡ規格にて定義されている水平同期周波数３１．５ｋＨｚ、垂直同期周波数６０ＨｚのＲＧＢ信号である。変換されたＲＧＢ信号は、ＲＧＢ端子２２２を介してＲＧＢモニタ３２０に送られる。
【００３８】
このように、本実施形態の内視鏡装置用コンバータを用いることによって、様々な電源規格やビデオ信号規格の電子内視鏡用プロセッサやモニタを、電源規格の異なる様々な地域で利用可能となる。
【００３９】
また、ケース２１０の表面には、キーボード入力端子２７１と、キーボード出力端子２７２とが設けられている。キーボード４００は、キーボード入力端子２７２に接続される。また内視鏡用プロセッサ１２０のキーボード接続端子とキーボード出力端子２７２とは、キーボードケーブルを介して接続される。
【００４０】
キーボード４００のキーを押す／離すことによって生成されるキーボード信号はキーボード入力端子２７１を介してキーコード変換部２８１に入力される。キーコード変換部２８１は、入力キーに対応した機能を示すルックアップテーブルを複数備えており、このルックアップテーブルを用いて、入力されたキーコードを変換してこれを内視鏡用プロセッサ１２０へ出力する。複数用意されているルックアップテーブルは、内視鏡装置用コンバータ２００に接続される電子内視鏡用プロセッサ１２０の機種にそれぞれ対応している。
【００４１】
また、ケース２１０の表面には、信号入力端子２７３が備えられている。この信号入力端子２７３には信号ケーブルを介して電子内視鏡用プロセッサ１２０の信号出力端子１２２と接続される。キーコード変換部２８１は、この信号入力端子２７３および信号ケーブルを介して、電子内視鏡用プロセッサ１２０に内蔵されたＥＥＰＲＯＭ１２１の記録内容を読み取る。
【００４２】
キーコード変換部２８１は、ＥＥＰＲＯＭ１２１の記録内容から電子内視鏡用プロセッサ１２０の機種情報を検出し、この機種情報を用いて適切なルックアップテーブルを選択する。
【００４３】
また、ケース２１０の内部には、ルックアップテーブルの内容を編集するためのキーコード設定部２８２が備えられている。内視鏡装置１の使用者がキーボード４００から内視鏡用プロセッサ１２０の機能に関与しない特定のキーを入力すると、キーコード設定部２８２は、ルックアップテーブル編集画面をモニタ３１０及び／または３２０に表示させるようＮＴＳＣ／ＰＡＬ変換部２５１及び／またはＲＧＢ変換部２５２を制御する。使用者は、モニタ３１０及び／または３２０に表示された編集画面を見ながら、キーボード４００を操作することによって、任意のルックアップテーブルを編集することができる。
【００４４】
このように、キーコード設定部２８２によってルックアップテーブルを編集することによって、キーボード４００のどのキーにどの機能を割り当てるのかを、電子内視鏡用プロセッサ１２０ごとに設定可能である。例えば、ある電子内視鏡用プロセッサにおいてはＦ１キーに印刷機能が割り当てられており、他の電子内視鏡用プロセッサにおいてはＦ２キーに印刷機能が割り当てられている場合を想定する。この時、後者の電子内視鏡用プロセッサに対応したルックアップテーブルを、Ｆ１キーが押された時の出力キーコードをＦ２のものに強制変換するように編集することによって、電子内視鏡用プロセッサの種類が前者のものであるか後者のものであるかに関わらず、Ｆ１キーを押した時に印刷機能が働くようになる。このように、本実施形態によれば、異なる電子内視鏡用プロセッサ１２０において、キーに割り当てられた機能を同一なものとすることができる。このため、内視鏡装置の操作者は、一種類の操作方法のみを覚えれば良くなるため、内視鏡装置１の操作習得は容易なものとなる。
【００４５】
なお、本実施形態においては、モニタは仕様の異なるものを２台、内視鏡装置用コンバータに接続したが、どちらか一方のモニタだけでも良い。
【図面の簡単な説明】
【００４６】
【図１】本発明の実施の形態の内視鏡システムの概要を示すブロック図である。
【図２】本発明の実施の形態の内視鏡装置用コンバータのブロック図である。
【符号の説明】
【００４７】
１    内視鏡システム
１１０    電子内視鏡
１２０    電子内視鏡用プロセッサ
１２１    ＥＥＰＲＯＭ
２００    内視鏡装置用コンバータ
２４０    絶縁トランス部
２４１    絶縁入力部
２４２    電圧変換部
２４３    一次コイル
２４４    二次コイル
２４５    絶縁材
２５１    ＮＴＳＣ／ＰＡＬ相互変換部
２５２    ＲＧＢ変換部
２８１    キーコード変換部
２８２    キーコード設定部
３１０    ＴＶモニタ
３２０    ＲＧＢモニタ
４００    キーボード
【図１】
0004774258.tif 000002
【図２】
0004774258.tif 000003